(57)【特許請求の範囲】
【請求項１】
複数のアンテナ素子から受信する受信波のフェージング相関を監視するフェージング相関監視手段と、
前記フェージング相関監視手段において監視したフェージング相関に応じ、指向性を形成して信号を受信する指向性受信、あるいは、複数系列の信号を合成又は選択して受信するダイバーシチ受信の一方を選択する受信方法選択手段と、
前記受信方法選択手段にて指向性受信が選択された場合に指向性受信を行う指向性受信手段と、
前記受信方法選択手段にてダイバーシチ受信が選択された場合にダイバーシチ受信を行うダイバーシチ受信手段と、
前記指向性受信手段あるいは前記ダイバーシチ受信手段から出力された信号を復調する復調手段と、を具備することを特徴とする無線通信装置。
【請求項２】
前記受信方法選択手段は、前記フェージング相関が所定の閾値より大きい場合には指向性受信を選択し、前記フェージング相関が前記閾値以下の場合にはダイバーシチ受信を選択することを特徴とする請求項１に記載の無線通信装置。
【請求項３】
前記フェージング相関監視手段において監視したフェージング相関に応じ、指向性を形成して信号を送信する指向性送信、あるいは、複数系列の信号を合成又は選択して送信するダイバーシチ送信の一方を選択する送信方法選択手段と、
前記送信方法選択手段にて指向性送信が選択された場合に前記複数のアンテナ素子から指向性送信を行う指向性送信手段と、
前記送信方法選択手段にてダイバーシチ送信が選択された場合に前記複数のアンテナ素子からダイバーシチ送信を行うダイバーシチ送信手段と、を具備することを特徴とする請求項１又は請求項２に記載の無線通信装置。
【請求項４】
前記送信方法選択手段は、前記フェージング相関が所定の閾値より大きい場合には指向性送信を選択し、前記フェージング相関が前記閾値以下の場合にはダイバーシチ送信を選択することを特徴とする請求項３に記載の無線通信装置。
【請求項５】
ダイバーシチ送信を用いて信号を送信する場合に、指向性送信を用いて信号を送信する場合と比較して低い送信電力で信号を無線送信することを特徴とする請求項３又は請求項４に記載の無線通信装置。
【請求項６】
フェージング相関監視手段は、通信相手からの受信信号の角度広がりを推定し、推定した角度広がりを参照してフェージング相関を監視することを特徴とする請求項１から請求項５のいずれかに記載の無線通信装置。
【請求項７】
フェージング相関監視手段は、各受信信号に他の受信信号の複素共役を乗算して各受信信号間の相関値を算出し、前記各受信信号間の相関値の全てを加算することによりフェージング相関値を算出し、算出したフェージング相関値を参照してフェージング相関を監視することを特徴とする請求項１から請求項５のいずれかに記載の無線通信装置。
【請求項８】
請求項１から請求項７のいずれかに記載の無線通信装置を具備することを特徴とする無線基地局装置。
【請求項９】
複数のアンテナ素子から受信する受信波のフェージング相関を監視するフェージング相関監視工程と、
前記フェージング相関監視工程において監視したフェージング相関に応じ、指向性を形成して信号を受信する指向性受信、あるいは、複数系列の信号を合成又は選択して受信するダイバーシチ受信の一方を選択する受信方法選択工程と、
前記受信方法選択工程にて指向性受信が選択された場合に指向性受信を行う指向性受信工程と、
前記受信方法選択工程にてダイバーシチ受信が選択された場合にダイバーシチ受信を行うダイバーシチ受信工程と、
前記指向性受信工程あるいは前記ダイバーシチ受信工程から出力された信号を復調する復調工程と、を具備することを特徴とする無線通信方法。
【請求項１０】
前記フェージング相関監視工程において監視したフェージング相関に応じ、指向性を形成して信号を送信する指向性送信、あるいは、複数系列の信号を合成又は選択して送信するダイバーシチ送信の一方を選択する送信方法選択工程と、
前記送信方法選択工程にて指向性送信が選択された場合に前記複数のアンテナ素子から指向性送信を行う指向性送信工程と、
前記送信方法選択工程にてダイバーシチ送信が選択された場合に前記複数のアンテナ素子からダイバーシチ送信を行うダイバーシチ送信工程と、を具備することを特徴とする請求項９に記載の無線通信方法。
【発明の詳細な説明】
【０００１】
【発明の属する技術分野】
本発明は、指向性送受信を行う機能を有する無線基地局装置及び無線通信方法に関する。
【０００２】
【従来の技術】
ディジタル無線通信においては、複数のアンテナ素子のアンテナ出力に重み（以下、「ウエイト」という）を加えて指向性を適応的に制御するアダプティブアレイアンテナ（以下、「ＡＡＡ」という）技術が用いられている。このＡＡＡ技術では、信号の到来方向が異なることを利用して指向性を適応的に制御することにより、干渉波を抑圧することができる。このため、ＡＡＡ技術は、干渉波を抑圧する方法として好適である。
【０００３】
ＡＡＡ技術を用いる無線基地局装置における指向性パターンの形成について説明する。
図９に、無線基地局装置に備えられた２本のアンテナ素子に通信端末装置から送信された送信波が到来する様子を示す。通信端末装置より送信された送信波は、アンテナ素子３１及び３２のそれぞれから無線基地局装置に受信される。このうち、アンテナ素子３２で受信される受信波３４は、アンテナ素子３１で受信される受信波３３よりも行路差Ｌだけ長いパスを通っているため、受信波３３と比較してより多くの位相回転をしている。
【０００４】
無線基地局装置は、受信波３３の位相回転と受信波３４の位相回転との差分（位相回転差）を観測する。フェージング相関が高い場合には位相回転差と受信波の到来方向は一意に対応するので、無線基地局装置は、観測した位相回転差に基づいて受信波の到来方向を推定し、他ユーザやマルチパスによる干渉を抑圧する指向性パターンを形成する。
【０００５】
【発明が解決しようとする課題】
しかしながら、受信波３３と受信波３４とのフェージング相関が小さい場合には、受信波３３と受信波３４とは伝播路において受けるフェージングそのものが異なるので、無線基地局装置が観測する位相回転差には、行路差に起因する差分だけでなくフェージングそのものが異なることに起因する差分も含まれる。したがって、フェージング相関が小さい場合には、無線基地局装置が観測した位相回転差と受信波の到来方向とは一意に対応しない。このようにフェージング相関が小さい場合には、受信波の到来方向（図９の角度α方向）を正確に推定することができないことにより、所望の指向性を形成することができないので、通信品質が劣化するという問題がある。
【０００６】
本発明はかかる点に鑑みてなされたものであり、フェージング相関が小さい場合であっても、良好な通信品質で無線通信を行うことができる無線基地局装置及び無線通信方法を提供することを目的とする。
【０００７】
【課題を解決するための手段】
本発明の無線通信装置は、複数のアンテナ素子から受信する受信波のフェージング相関を監視するフェージング相関監視手段と、前記フェージング相関監視手段において監視したフェージング相関に応じ、指向性を形成して信号を受信する指向性受信、あるいは、複数系列の信号を合成又は選択して受信するダイバーシチ受信の一方を選択する受信方法選択手段と、前記受信方法選択手段にて指向性受信が選択された場合に指向性受信を行う指向性受信手段と、前記受信方法選択手段にてダイバーシチ受信が選択された場合にダイバーシチ受信を行うダイバーシチ受信手段と、前記指向性受信手段あるいは前記ダイバーシチ受信手段から出力された信号を復調する復調手段と、を具備する構成を採る。また、本発明の無線通信装置は、前記受信方法選択手段は、前記フェージング相関が所定の閾値より大きい場合には指向性受信を選択し、前記フェージング相関が前記閾値以下の場合にはダイバーシチ受信を選択する構成を採る。
【０００８】
本発明の無線通信装置は、前記フェージング相関監視手段において監視したフェージング相関に応じ、指向性を形成して信号を送信する指向性送信、あるいは、複数系列の信号を合成又は選択して送信するダイバーシチ送信の一方を選択する送信方法選択手段と、前記送信方法選択手段にて指向性送信が選択された場合に前記複数のアンテナ素子から指向性送信を行う指向性送信手段と、前記送信方法選択手段にてダイバーシチ送信が選択された場合に前記複数のアンテナ素子からダイバーシチ送信を行うダイバーシチ送信手段と、を具備する構成を採る。また、本発明の無線通信装置は、前記送信方法選択手段は、前記フェージング相関が所定の閾値より大きい場合には指向性送信を選択し、前記フェージング相関が前記閾値以下の場合にはダイバーシチ送信を選択する構成を採る。
【０００９】
これらの構成によれば、フェージング相関を監視し、その監視結果に応じて、指向性送信とダイバーシチ送信とを切り替えて無線送信処理を行うので、フェージングの相関が小さい場合であっても良好な通信品質で無線通信を行うことができる。
【００１２】
本発明の無線通信装置は、上記無線通信装置において、無線送信手段は、ダイバーシチ送信を用いて信号を送信する場合に、指向性送信を用いて信号を送信する場合と比較して低い送信電力で信号を無線送信する構成を採る。
【００１３】
この構成によれば、ダイバーシチ送信を行う場合には、低い送信電力で信号を送信するので、アダプティブアレーアンテナを用いなくとも他局に与える干渉の影響を低減することができる。
【００１４】
本発明の無線通信装置は、上記無線通信装置において、フェージング相関監視手段は、通信相手からの受信信号の角度広がりを推定し、推定した角度広がりを参照してフェージング相関を監視する構成を採る。
【００１５】
本発明の無線通信装置は、上記無線通信装置において、フェージング相関監視手段は、各受信信号に他の受信信号の複素共役を乗算して各受信信号間の相関値を算出し、前記各受信信号間の相関値の全てを加算することによりフェージング相関値を算出し、算出したフェージング相関値を参照してフェージング相関を監視する構成を採る。
【００１７】
これらの構成によれば、簡単な構成によりフェージング相関を監視することができるので、装置の規模を拡大することなく、フェージングの相関が小さい場合であっても良好な通信品質で無線通信を行うことができる。
【００１８】
本発明の無線基地局装置は、上記無線通信装置を具備する構成を採る。この構成によれば、フェージングの相関が小さい場合であっても良好な通信品質で無線通信を行うことができる無線基地局装置を実現することができる。
【００１９】
この構成によれば、フェージングの相関が小さい場合であっても良好な通信品質で無線通信を行うことができる無線基地局装置を提供することができる。
【００２０】
本発明の無線通信方法は、複数のアンテナ素子から受信する受信波のフェージング相関を監視するフェージング相関監視工程と、前記フェージング相関監視工程において監視したフェージング相関に応じ、指向性を形成して信号を受信する指向性受信、あるいは、複数系列の信号を合成又は選択して受信するダイバーシチ受信の一方を選択する受信方法選択工程と、前記受信方法選択工程にて指向性受信が選択された場合に指向性受信を行う指向性受信工程と、前記受信方法選択工程にてダイバーシチ受信が選択された場合にダイバーシチ受信を行うダイバーシチ受信工程と、前記指向性受信工程あるいは前記ダイバーシチ受信工程から出力された信号を復調する復調工程と、を具備する方法を採る。また、本発明の無線通信方法は、前記フェージング相関監視工程において監視したフェージング相関に応じ、指向性を形成して信号を送信する指向性送信、あるいは、複数系列の信号を合成又は選択して送信するダイバーシチ送信の一方を選択する送信方法選択工程と、前記送信方法選択工程にて指向性送信が選択された場合に前記複数のアンテナ素子から指向性送信を行う指向性送信工程と、前記送信方法選択工程にてダイバーシチ送信が選択された場合に前記複数のアンテナ素子からダイバーシチ送信を行うダイバーシチ送信工程と、を具備する方法を採る。
【００２１】
この方法によれば、フェージング相関を監視し、その監視結果に応じて、フェージング相関が高い場合を前提とする干渉波の抑圧処理とフェージング相関が低い場合を前提とするフェージングの補償処理とを切り替えて送信信号及び受信信号の送受信処理を行うので、フェージングの相関が小さい場合であっても良好な通信品質で無線通信を行うことができる。
【００２４】
【発明の実施の形態】
上述した課題であるフェージング相関が低い場合に通信品質の向上を図る技術としてダイバーシチ技術がある。フェージング相関が低い場合には、複数のアンテナ間でフェージングの状態が異なるので、フェージングによる信号の歪みが少ないアンテナを用いて送信を行うことにより、フェージングによる性能劣化を抑えられる。したがって、フェージング相関が低い場合にはダイバーシチ技術が好適である。このダイバーシチ技術のうちダイバーシチ受信技術は、受信側において互いに相関の無いフェージングを受けた複数系列の受信信号を適切に合成することにより、フェージングによる信号の歪みを補償する技術である。また、ダイバーシチ送信技術は、送信側において複数系列の送信信号を適切に合成することにより、信号の送信前にあらかじめフェージングによる信号の歪みを補償する技術である。
【００２５】
一方、フェージング相関が高い場合には、到来方向を正確に推定することができるので、指向性送信及び指向性受信により到来方向の異なる相手局への干渉を除去することが可能である。したがって、フェージング相関が高い場合に通信品質の向上を図るにはＡＡＡ技術が好適である。
【００２６】
本発明者は、フェージング相関が低い場合に通信品質の向上を図る技術としてダイバーシチ技術に着目し、各受信波のフェージング相関が低い場合には、指向性を形成することなくダイバーシチ送受信を行うことにより、フェージングによる信号の歪みを補償して通信品質が向上することを見出して本発明をするに至った。
【００２７】
すなわち、本発明の骨子は、監視したフェージング相関が所定の値よりも大きい場合には指向性送受信を行うことにより干渉波を抑圧し、フェージング相関が所定の値よりも小さい場合にはダイバーシチ送受信を行うことによりフェージングによる信号の歪みを補償することで、良好な通信品質で無線通信を行うことである。
【００２８】
以下、本発明の実施の形態について、添付図面を参照して詳細に説明する。
（実施の形態１）
本実施の形態は、角度広がりが大きくなるほどフェージング相関は小さくなることに着目し、角度広がりを検出することによりフェージング相関を監視するようにした例である。すなわち、本実施の形態に係る基地局装置は、受信信号に基づいて角度広がりを推定し、推定した角度広がりが所定の値よりも小さい場合にはＡＡＡ送受信を行って干渉波を抑圧し、角度広がりが所定の値よりも大きい場合にはダイバーシチ送受信を行ってフェージングによる信号の歪みを補償することにより、良好な通信品質で無線通信を行う。
【００２９】
図１は、本発明の実施の形態１に係る基地局装置について説明する図である。無線基地局装置１００から送信される送信波は、通信端末装置２００−１〜２００−３の周囲に存在するビル等の障害物で散乱されて通信端末装置２００−１〜２００−３に受信される。また、通信端末装置２００−１〜２００−３から送信された送信波は、受信の際と同様に周囲に存在する障害物で散乱されて無線基地局装置１００に受信される。ここで、散乱円２０１−１〜２０１−３は、通信端末装置２００−１〜２００−３の送受信波を散乱する障害物が存在する位置を表すために通信端末装置２００−１〜２００−３を中心に仮想的に設定された円である。また、Θ１〜Θ３は角度広がりであり、無線基地局装置１００から各散乱円２０１−１〜２０１−３に引いた２本の接線の形成する角の角度である。
【００３０】
図２は、基地局装置１００の構成を示すブロック図である。
基地局装置１００は、各通信端末装置２００−１〜２００−３に対応する送受信回路１００−１〜１００−３を備えている。送受信回路１００−１は、フェージング相関監視部１０３と、切り替え部１０４と、到来方向推定部１０５と、ＡＡＡ受信回路１０６と、ダイバーシチ受信回路１０７と、復調部１１４と、変調部１２０と、切り替え部１２１と、ＡＡＡ送信回路１２２と、ダイバーシチ送信回路１２３と、を具備して構成される。各送受信回路１００−１〜１００−３は、それぞれ同様の構成をとるので、送受信回路１００−１を例に説明し、送受信回路１００−２〜１００−３については説明を省略する。
【００３１】
無線受信部１０２−１〜１０２−４は、対応するアンテナ１０１−１〜１０１−４から受信した受信信号にダウンコンバート等の所定の無線受信処理を施し、無線受信処理を施した受信信号をフェージング相関監視部１０３、切り替え部１０４、及び到来方向推定部１０５に出力する。フェージング相関監視部１０３は、受信信号に基づいて通信端末装置２００−１の角度広がりΘ１を検出し、あらかじめ設定された閾値と閾値判定を行って、受信信号を判定結果を示す切り替え信号を切り替え部１０４及び切り替え部１２１に出力する。切り替え部１０４は、切り替え信号に従って、無線受信部より出力された受信信号をＡＡＡ受信回路１０６とダイバーシチ受信回路１０７のいずれか一方に出力する。到来方向推定部１０５は、受信信号の到来方向を推定し、推定結果をＡＡＡ受信回路１０６に備えられたウエイト算出部１１１及びＡＡＡ送信回路１２２に備えられたウエイト算出部１３１に出力する。
【００３２】
ＡＡＡ受信回路１０６は、切り替え部１０４より受信信号が出力されると、到来方向推定部１０５における到来方向の推定結果に基づいて上り回線での干渉波を抑圧するようにウエイトを算出し、算出したウエイトを各系列の受信信号に重みづけする。このＡＡＡ受信回路１０６において、ウエイト算出部１１１は、到来方向の推定結果に基づいて各受信信号に乗算するウエイトを決定する。乗算器１１２−１〜１１２−４は、ウエイト算出部１１１において算出されたウエイトを各系列の受信信号に乗算する。加算器１１３は、乗算器１１２−１〜１１２−４の乗算結果を取りこんでそれぞれ加算し、復調部１１４に出力する。
【００３３】
ダイバーシチ受信回路１０７は、切り替え部１０４より受信信号が出力されると、各系列の受信信号を最大比合成してフェージングによる上り回線における受信信号の歪みを補償する。最大比合成とは、受信電力に比例し、雑音に逆比例する重みづけを行った各系列の受信信号を加算する合成方法である。なお、ダイバーシチ受信回路１０７は、各系列の受信信号を重みづけせずにそのまま加算する等利得合成、または各系列の受信信号のうち推定した受信電力が最大の受信信号のみを選択する選択合成等を用いることができる。
【００３４】
復調部１１４は、ＡＡＡ受信回路１０６の出力またはダイバーシチ受信回路１０７の出力をＱＰＳＫ等の所定の復調方式で復調して受信データを得る。
【００３５】
変調部１２０は、送信データを所定の変調方式で変調し、変調した信号を切り替え部１２１に出力する。切り替え部１２１は、フェージング相関監視部１０３よりの切り替え信号に従って、変調部１２０より出力された送信信号をＡＡＡ送信回路１２２とダイバーシチ送信回路１２３のいずれか一方に出力する。
【００３６】
ＡＡＡ送信回路１２２は、切り替え部１２１より送信信号が出力されると、到来方向推定部１０５において推定した到来方向の推定結果に基づいて下り回線での干渉波を抑圧するようにウエイトを算出し、算出したウエイトを各系列の送信信号に重みづけする。このＡＡＡ送信回路１２２において、ウエイト算出部１３１は、到来方向の推定結果に基づいて各受信信号に乗算するウエイトを決定する。乗算器１３２−１〜１３２−４は、ウエイト算出部１３１において算出されたウエイトを各系列の送信信号に乗算する。
【００３７】
ダイバーシチ送信回路１２３は、切り替え部１２１より送信信号が出力されると、ダイバーシチ受信回路１０７での重みづけを参照して各系列の送信信号を最大比合成し、あらかじめ下り回線でのフェージングによる送信信号の歪みを補償する（最大比合成ダイバーシチ送信）。なお、ダイバーシチ送信回路１２３は、ダイバーシチ受信回路１０７での合成方法に応じて各系列の送信信号のうち推定した受信電力が最大の受信信号のみを選択する選択ダイバーシチ送信、または、移動局からの指示（フィードバック情報）に応じて送信信号の重み付けや送信アンテナを選択するクローズドループ型（フィードバック型）ダイバーシチ送信等を用いることができる。
【００３８】
無線送信部１４１−１〜１４１−４は、対応する乗算器１３２−１〜１３１−４またはダイバーシチ送信回路１２３より出力された送信信号に所定の無線送信処理を行って、対応するアンテナ１０１−１〜１０１−４より出力する。
【００３９】
上記ＡＡＡ受信回路１０６で行われる指向性受信及びＡＡＡ送信回路１２２でわれる指向性送信は、受信信号の系列ごとのフェージング相関が大きい場合に好適であり、逆に、ダイバーシチ受信回路１０７で行われるダイバーシチ受信及びダイバーシチ送信回路１２３で行われるダイバーシチ送信は、受信信号の系列ごとのフェージング相関が小さい場合に好適である。
【００４０】
図３に実施の形態１に係るフェージング相関監視部１０３の構成を示すブロック図を示す。
記憶部１５１は、無線受信部１０２−１〜１０２−４より出力される受信信号を記憶し、ウエイト逐次生成部１５２がウエイトを出力する度に記憶した受信信号を対応する系列の乗算器１５３−１〜１５３−４に出力する。記憶部１５１は、受信信号を、その受信信号に対応する切り替え信号が後段の閾値判定部１５６で生成されるまで記憶する。ウエイト逐次生成部１５２は、０°〜３６０°の指向性パターンを形成するウエイトを１°刻みで生成し、乗算器１５３−１〜１５３−４に出力する。乗算器１５３−１〜１５３−４は、記憶部１５１から出力された各系列の受信信号にウエイト逐次生成部１５２より出力されるウエイトを乗算し、乗算結果を加算器１５４に出力する。加算器１５４は、乗算器１５３−１〜１５３−４の出力をそれぞれ加算し、加算結果を角度広がり推定部１５５に出力する。角度広がり推定部１５５は、１°刻みで出力される加算器１５４の出力の電力を測定し、その測定結果に基づいて角度広がりを推定する。閾値判定部１５６は、角度広がり推定部１５５で推定された角度広がりを予め設定された閾値で閾値判定し、判定結果を示す切り替え信号を切り替え部１０４及び切り替え部１２１へ出力する。
【００４１】
次に、以上のように構成された基地局装置１００の動作について説明する。
通信端末装置２００−１〜２００−３から送信された送信波は、対応する散乱円２０１−１〜２０１−３の周上に存在する障害物でそれぞれ散乱されて無線基地局装置１００に受信される。
【００４２】
基地局装置１００では、通信端末装置２００−１〜２００−３より送信された信号がアンテナ１０１−１〜１０１−４から受信される。受信信号は、無線受信部１０２−１〜１０２−４で所定の無線受信処理を施されてフェージング相関監視部１０３、切り替え部１０４、及び到来方向推定部１０５に出力される。
【００４３】
ここで、フェージング相関監視部１０３の動作について説明する。
フェージング相関監視部１０３では、各系列の受信信号に基づいて通信相手の通信端末装置の角度広がりが推定され、推定された角度広がりが閾値判定されて、受信信号をＡＡＡ受信回路１０６とダイバーシチ受信回路１０７のいずれで処理するかを決定する切り替え信号が生成される。
【００４４】
無線受信部１０２−１〜１０２−４で所定の無線受信処理を施された各系列の受信信号は、記憶部１５１に記憶され、その記憶部１５１からウエイト逐次生成部１５２の出力にタイミングを合わせて、対応する乗算器１５３−１〜１５３−４に出力される。記憶部１５１に記憶された各系列の受信信号は、対応する乗算器１５３−１〜１５３−４においてウエイト逐次生成部１５２より１°刻みで出力される０°〜３６０°の指向性パターンに対応するウエイトを乗算されて、加算器１５４で互いに加算されて角度広がり推定部１５５に出力される。つまり、０°〜３６０°の指向性を形成して受信した場合の受信電力が角度広がり推定部１５５に出力される。
【００４５】
角度広がり推定部１５５では、加算器１５４より出力される０°〜３６０°の指向性を形成するように重みづけされた受信信号の電力を１°刻みで測定し、測定した電力を閾値判定する。この閾値判定は、各通信端末装置２００−１〜２００−３の角度広がりを調べるために行う。測定した電力が閾値より大きい場合には、その方向から受信波が到来していることを示すので、その方向は散乱円の存在する方向であると判断する。逆に、測定した電力が閾値より小さい場合には、その方向から受信波が到来していないことを示すので、その方向は散乱円の存在しない方向であると判断する。なお、角度広がりの推定方法はこれに限られず、システムにおいて適宜変更されるものである。
【００４６】
加算器１５４より出力される加算結果の測定結果の一例を図４に示す。
この図に示すように、測定した電力はα１とα２の間で閾値より大きくなっているので、このα１とα２との間では散乱円が存在すると判断され、この散乱円が存在すると判断される範囲である｜α１-α２｜が角度広がりと推定される。このように推定された角度広がり｜α１-α２｜は、閾値判定部１５６に出力される。
【００４７】
閾値判定部１５６にはあらかじめ閾値が設定されており、角度広がり推定部１５５で推定された角度広がりがその閾値で閾値判定される。この閾値判定は、角度広がりが大きいほどフェージング相関が小さいことに着目して、受信信号をＡＡＡ受信回路１０６とダイバーシチ受信回路１０７のいずれで処理するか決定するため、及び送信信号をＡＡＡ送信回路１２２とダイバーシチ送信回路１２３のいずれで処理するか決定するために行う。すなわち、推定された角度広がりが閾値よりも小さい場合にはフェージング相関が大きいので、受信信号をＡＡＡ受信回路１０６で処理し、送信信号をＡＡＡ送信回路１２２で処理すると決定される。逆に、推定された角度広がりが閾値よりも大きい場合には、受信信号をダイバーシチ受信回路１０７で処理し、送信信号をダイバーシチ送信回路１２３で処理すると決定される。このように閾値判定が行われると、この閾値判定結果を示す切り替え信号が生成される。生成された切り替え信号は、切り替え部１０４及び切り替え部１２１に出力される。この閾値は、受信波を散乱する障害物の位置や、ウエイト算出のアルゴリズム等を考慮して、システムにおいて適宜設定する。
【００４８】
切り替え部１０４では、フェージング相関監視部１０３より出力された切り替え信号に従って、受信信号がＡＡＡ受信回路１０６またはダイバーシチ受信回路１０７のいずれかに出力される。ＡＡＡ受信回路１０６に出力された各系列の受信信号は、干渉波を抑圧するようにウエイトを乗算されて、復調部１１４で復調されて受信データとなる。ダイバーシチ受信回路１０７に出力された各系列の受信信号は、最大比合成されてフェージングによる信号の歪みを補償され、復調部１１４で復調されて受信データとなる。
【００４９】
一方、送信系の切り替え部１２１では、フェージング相関監視部１０３より出力された切り替え信号に従って、変調部１２０において変調された送信信号がＡＡＡ送信回路１２２またはダイバーシチ送信回路１２３のいずれかに出力される。ＡＡＡ送信回路１２２に出力された各系列の送信信号は、下り回線での与干渉を抑圧するようにウエイトを乗算され、無線送信部１４１−１〜１４１−４でアップコンバート等の所定の無線送信処理を施されてアンテナ１０１−１〜１０１−４から送信される。ダイバーシチ送信回路１２２に出力された各系列の送信信号は、下り回線でのフェージングによる送信信号の歪みを補償するように最大比合成され、無線送信部１４１−１〜１４１−４でアップコンバート等の所定の無線送信処理を施されてアンテナ１０１−１〜１０１−４から送信される。
【００５０】
このように、本実施の形態によれば、受信信号に基づいて角度広がりを推定し、推定した角度広がりが所定の値よりも小さい場合にはＡＡＡ送受信を行って干渉波を抑圧し、角度広がりが所定の値よりも大きい場合にはダイバーシチ送受信を行ってフェージングによる信号の歪みを補償するようにするので、良好な通信品質で無線通信を行うことができる。
【００５１】
また、本実施の形態においては、散乱半径は略一定の大きさをとるので、角度広がりが大きいほど基地局装置と通信端末装置との距離が近いと考えられる。したがって、角度広がりが所定の値よりも大きい場合にはダイバーシチ送受信を行うとともに送信電力を低く抑えることが可能である。これにより、アダプティブアレーアンテナを用いなくとも他局に与える干渉の影響を低減することができる。
【００５２】
なお、本実施の形態においては、切り替え部１０４の制御により、受信信号がダイバーシチ受信回路１０７において処理される場合には、到来方向推定部１０５は、到来方向の推定を行わなくとも良い。これにより、消費電力を削減することができる。
【００５３】
（実施の形態２）
本実施の形態に係る基地局装置は、各アンテナ素子間のフェージング相関値を算出し、算出したフェージング相関値が所定の値よりも大きい場合にはＡＡＡ送受信を行って干渉波を抑圧し、逆に所定の値よりも小さい場合にはダイバーシチ送受信を行ってフェージングによる信号の歪みを補償することにより、良好な通信品質で無線通信を行う。すなわち、本実施の形態は、フェージング相関値そのものを算出して、各アンテナ素子間のフェージング相関を監視する点で実施の形態１と異なる。
【００５４】
図５に本発明の実施の形態２に係るフェージング相関監視部１０３の構成を示すブロック図を示す。以下、本実施の形態に係る基地局装置について、図５を参照して説明する。本実施の形態に係る基地局装置は、フェージング相関監視部１０３以外の構成については実施の形態１に係る基地局装置と同じであるので、フェージング相関監視部１０３以外の部分については詳しい説明を省略する。
【００５５】
複素演算部２０１は、無線受信部１０２−１〜１０２−４より出力される各系列の受信信号であるＳ1、Ｓ2、Ｓ3、Ｓ4の複素共役をとって、相関検出部２０２へ出力する。Ｓ1は、無線受信部１０２−１より出力される受信信号であり、Ｓ2は、無線受信部１０２−２より出力される受信信号であり、Ｓ3は、無線受信部１０２−３より出力される受信信号であり、Ｓ4は、無線受信部１０２−４より出力される受信信号である。また、Ｓ1の複素共役をＳ1*、Ｓ2の複素共役をＳ2*、Ｓ3の複素共役をＳ3*、Ｓ4の複素共役をＳ4*とする。
【００５６】
相関検出部２０２は、複素演算部２０１より出力された各系列の受信信号の複素共役Ｓ1*、Ｓ2*、Ｓ3*、Ｓ4*と各系列の受信信号Ｓ1、Ｓ2、Ｓ3、Ｓ4とに基づいてフェージング相関値が算出される。すなわち、受信信号Ｓ1とＳ2の相関値はＳ1×Ｓ2*、受信信号Ｓ1とＳ3の相関値はＳ1×Ｓ3*、受信信号Ｓ1とＳ4の相関値はＳ1×Ｓ4*、受信信号Ｓ2とＳ3の相関値はＳ2×Ｓ3*、受信信号Ｓ2とＳ4の相関値はＳ2×Ｓ4*、受信信号Ｓ3とＳ4の相関値はＳ3×Ｓ4*であり、このように算出した相関値を全て加算してフェージング相関値とする。相関検出部２０２は、このようにして算出したフェージング相関値を閾値判定部２０４に出力する。
【００５７】
閾値判定部２０４は、相関検出部２０２より出力されたフェージング相関値をあらかじめ設定された閾値で閾値判定し、判定結果を示す切り替え信号を切り替え部１０４及び切り替え部１２１に出力する。
【００５８】
次に、以上のように構成された基地局装置１００の動作について説明する。
アンテナ１０１−１〜１０１−４から受信された受信信号は、無線受信部１０２−１〜１０２−４で所定の無線受信処理を施されてフェージング相関監視部１０３、切り替え部１０４、及び到来方向推定部１０５に出力される。フェージング相関監視部１０３では、算出されたフェージング相関値があらかじめ設定された閾値で閾値判定されて切り替え信号が生成される。
【００５９】
ここで、フェージング相関監視部１０３の動作について説明する。
フェージング相関監視部１０３では、各系列の受信信号に基づいて各アンテナ素子間のフェージング相関値が算出され、算出されたフェージング相関値が閾値判定され、その判定結果に応じて、受信信号をＡＡＡ受信回路１０６とダイバーシチ受信回路１０７のいずれで処理するかを決定する切り替え信号が生成される。
【００６０】
各系列の受信信号Ｓ1、Ｓ2、Ｓ3、Ｓ4は、複素演算部２０１、及び相関検出部２０２に出力される。複素演算部２０１では、各系列の受信信号の複素共役Ｓ1*、Ｓ2*、Ｓ3*、Ｓ4*が求められる。Ｓ1*、Ｓ2*、Ｓ3*、Ｓ4*は相関検出部２０２に出力され、各系列の受信信号Ｓ1、Ｓ2、Ｓ3、Ｓ4と乗じられ、その乗算結果を加算してフェージング相関値が算出される。このフェージング相関値は、閾値判定部２０４において閾値判定される。
【００６１】
閾値判定部２０４にはあらかじめ閾値が設定されており、加算器２０３で得られたフェージング相関値がその閾値で閾値判定される。この閾値判定は、フェージング相関値に応じて、受信信号をＡＡＡ受信回路１０６とダイバーシチ受信回路１０７のいずれで処理するか決定するため、及び送信信号をＡＡＡ送信回路１２２とダイバーシチ送信回路１２３のいずれで処理するか決定するために行う。すなわち、加算器２０３で得られたフェージング相関値が閾値よりも大きい場合には、受信信号をＡＡＡ受信回路１０６で処理し、送信信号をＡＡＡ送信回路１２２で処理すると決定される。逆に、フェージング相関値が閾値よりも小さい場合には、受信信号をダイバーシチ受信回路１０７で処理し、送信信号をダイバーシチ送信回路１２３で処理すると決定される。このように閾値判定が行われると、この閾値判定結果を示す切り替え信号が生成される。生成された切り替え信号は、切り替え部１０４及び切り替え部１２１に出力される。この閾値は、受信波を散乱する障害物の位置や、ウエイト算出のアルゴリズム等を考慮して、システムにおいて適宜設定する。
【００６２】
このように、本実施の形態によれば、受信信号に基づいてフェージング相関値を算出し、算出したフェージング相関値が所定の値よりも小さい場合にはＡＡＡ送受信を行って干渉波を抑圧し、フェージング相関値が所定の値よりも大きい場合にはダイバーシチ送受信を行ってフェージングによる信号の歪みを補償するようにするので、良好な通信品質で無線通信を行うことができる。
【００６３】
また、本実施の形態においては、フェージング相関値が小さいほど基地局装置と通信端末装置との距離が近いと考えられる。したがって、フェージング相関値が所定の値よりも小さい場合にはダイバーシチ送受信を行うとともに送信電力を低く抑えることが可能である。これにより、アダプティブアレーアンテナを用いなくとも他局に与える干渉の影響を低減することができる。
【００６４】
（実施の形態３）
実施の形態３〜実施の形態５は、基地局装置と通信端末装置との距離に応じてＡＡＡ送受信とダイバーシチ送受信とを切り替える例である。すなわち、実施の形態３では、受信信号の電力に応じて基地局装置と通信端末装置との距離が推定できることに着目して、受信電力に応じてＡＡＡ送受信とダイバーシチ送受信とを切り替える。実施の形態４では、受信信号の受信タイミングと送信信号の送信タイミングとの時間のずれ（タイミング差）に応じて基地局装置と通信端末装置との距離が推定できることに着目して、ＡＡＡ送受信とダイバーシチ送受信とを切り替える。実施の形態５では、ＴＰＣビットの上昇指示ビット数に応じて基地局装置と通信端末装置との距離が推定できることに着目して、ＡＡＡ送受信とダイバーシチ送受信とを切り替える。
【００６５】
実施の形態３に係る基地局装置は、受信信号の受信電力に基づいて自装置と通信相手である通信端末装置との距離を推定し、推定した距離が所定の値よりも大きい場合にはＡＡＡ送受信を行って干渉波を抑圧し、逆に所定の値よりも小さい場合にはダイバーシチ送受信を行ってフェージングによる信号の歪みを補償することにより、良好な通信品質で無線通信を行う。すなわち、本実施の形態は、基地局装置と通信端末装置との距離に基づいて各アンテナ素子間のフェージング相関を監視する点で実施の形態１と異なる。
【００６６】
図６に本発明の実施の形態３に係るフェージング相関監視部１０３の構成を示すブロック図を示す。以下、本実施の形態に係る基地局装置について、図６を参照して説明する。本実施の形態に係る基地局装置は、フェージング相関監視部１０３以外の構成については実施の形態１に係る基地局装置と同じであるので、フェージング相関監視部１０３以外の部分については詳しい説明を省略する。
【００６７】
受信電力算出部３０１−１〜３０１−４は、それぞれ対応する無線受信部１０２−１〜１０２−４より出力される受信信号の電力を算出し、閾値判定部３０２へ出力する。閾値判定部３０２は、受信電力算出部３０１−１〜３０１−４より出力される受信電力を加算し、加算した受信電力をあらかじめ設定された閾値で閾値判定し、判定結果を示す切り替え信号を切り替え部１０４及び切り替え部１２１に出力する。
【００６８】
次に、以上のように構成された基地局装置１００の動作について説明する。
アンテナ１０１−１〜１０１−４から受信された受信信号は、無線受信部１０２−１〜１０２−４で所定の無線受信処理を施されてフェージング相関監視部１０３、切り替え部１０４、及び到来方向推定部１０５に出力される。フェージング相関監視部１０３では、算出された受信電力があらかじめ設定された閾値で閾値判定されて切り替え信号が生成される。
【００６９】
ここで、フェージング相関監視部１０３の動作について説明する。
フェージング相関監視部１０３では、各系列の受信信号の電力が算出され、算出された電力が閾値判定され、その判定結果に応じて、受信信号をＡＡＡ受信回路１０６とダイバーシチ受信回路１０７のいずれで処理するかを決定する切り替え信号が生成される。
【００７０】
まず、受信電力算出部３０１−１〜３０１−４において、無線受信部１０２−１〜１０２−４より出力される各系列の受信信号の電力が算出される。算出された受信電力は、閾値判定部３０２において互いに加算され、その加算結果が閾値判定される。
【００７１】
閾値判定部３０２にはあらかじめ閾値が設定されており、各系列の受信電力の加算結果がその閾値で閾値判定される。この閾値判定は、各系列の受信電力の加算結果が大きいほど基地局装置と通信端末装置との距離が近いためにフェージング相関が小さくなることに着目して、受信信号をＡＡＡ受信回路１０６とダイバーシチ受信回路１０７のいずれで処理するか決定するため、及び送信信号をＡＡＡ送信回路１２２とダイバーシチ送信回路１２３のいずれで処理するか決定するために行う。すなわち、受信電力の加算結果が閾値よりも小さい場合にはフェージング相関が大きいので、受信信号をＡＡＡ受信回路１０６で処理し、送信信号をＡＡＡ送信回路１２２で処理すると決定される。逆に、受信電力の加算結果が閾値よりも大きい場合には、受信信号をダイバーシチ受信回路１０７で処理し、送信信号をダイバーシチ送信回路１２３で処理すると決定される。このように閾値判定が行われると、この閾値判定結果を示す切り替え信号が生成される。生成された切り替え信号は、切り替え部１０４及び切り替え部１２１に出力される。この閾値は、受信波を散乱する障害物の位置や、ウエイト算出のアルゴリズム等を考慮して、システムにおいて適宜設定する。
【００７２】
このように、本実施の形態によれば、推定した距離が所定の値よりも大きい場合にはＡＡＡ送受信を行って干渉波を抑圧し、推定した距離が所定の値よりも小さい場合にはダイバーシチ送受信を行ってフェージングによる信号の歪みを補償するようにするので、良好な通信品質で無線通信を行うことができる。
【００７３】
また、本実施の形態においては、受信電力が大きいほど基地局装置と通信端末装置との距離が近いと考えられる。したがって、受信電力が所定の値よりも大きい場合にはダイバーシチ送受信を行うとともに送信電力を低く抑えることが可能である。これにより、アダプティブアレーアンテナを用いなくとも他局に与える干渉の影響を低減することができる。
【００７４】
（実施の形態４）
実施の形態４に係る基地局装置は、受信信号の受信タイミングと送信信号の送信タイミングとの時間のずれに基づいて自装置と通信相手である通信端末装置との距離を推定する。そして、推定した時間のずれが所定の値よりも大きい場合にはＡＡＡ送受信を行って干渉波を抑圧し、逆に所定の値よりも小さい場合にはダイバーシチ送受信を行ってフェージングによる信号の歪みを補償することにより、良好な通信品質で無線通信を行う。すなわち、本実施の形態は、受信信号の受信タイミングと送信信号の送信タイミングとの時間のずれに基づいて推定した基地局装置と通信端末装置との距離を推定する点で実施の形態３と異なる。
【００７５】
図７に実施の形態４に係るフェージング相関監視部１０３の構成を示すブロック図を示す。以下、本実施の形態に係る基地局装置について、図７を参照して説明する。本実施の形態に係る基地局装置は、フェージング相関監視部１０３以外の構成については実施の形態１に係る基地局装置と同じであるので、フェージング相関監視部１０３以外の部分については詳しい説明を省略する。
【００７６】
タイミング検出部４０１は、受信信号が入力されるタイミングと送信信号が入力されるタイミングとのタイミング差を検出し、検出したタイミング差を閾値判定部４０２に出力する。閾値判定部４０２は、タイミング検出部４０１より出力されるタイミング差をあらかじめ設定された閾値で閾値判定し、判定結果を示す切り替え信号を切り替え部１０４及び切り替え部１２１に出力する。
【００７７】
次に、以上のように構成された基地局装置１００の動作について説明する。
アンテナ１０１−１〜１０１−４から受信された受信信号は、無線受信部１０２−１〜１０２−４で所定の無線受信処理を施されてフェージング相関監視部１０３、切り替え部１０４、及び到来方向推定部１０５に出力される。フェージング相関監視部１０３では、算出された受信電力があらかじめ設定された閾値で閾値判定されて切り替え信号が生成される。
【００７８】
ここで、フェージング相関監視部１０３の動作について説明する。
フェージング相関監視部１０３では、各系列の受信信号の電力が算出され、算出された電力が閾値判定され、その判定結果に応じて、受信信号をＡＡＡ受信回路１０６とダイバーシチ受信回路１０７のいずれで処理するかを決定する切り替え信号が生成される。
【００７９】
まず、タイミング検出部４０１において、受信信号が入力されるタイミングと送信信号が入力されるタイミングとのタイミング差が検出され、検出されたタイミング差は閾値判定部４０２へ出力される。
【００８０】
閾値判定部４０２にはあらかじめ閾値が設定されており、タイミング検出部４０１より出力されたタイミング差がその閾値で閾値判定される。この閾値判定は、受信信号と送信信号のタイミング差が大きいほど基地局装置と通信端末装置との距離が遠いためにフェージング相関が小さくなることに着目して、受信信号をＡＡＡ受信回路１０６とダイバーシチ受信回路１０７のいずれで処理するか決定するため、及び送信信号をＡＡＡ送信回路１２２とダイバーシチ送信回路１２３のいずれで処理するか決定するために行う。すなわち、タイミング差が閾値よりも大きい場合にはフェージング相関が大きいので、受信信号をＡＡＡ受信回路１０６で処理し、送信信号をＡＡＡ送信回路１２２で処理すると決定される。逆に、タイミング差が閾値よりも小さい場合には、受信信号をダイバーシチ受信回路１０７で処理し、送信信号をダイバーシチ送信回路１２３で処理すると決定される。このように閾値判定が行われると、この閾値判定結果を示す切り替え信号が生成される。生成された切り替え信号は、切り替え部１０４及び切り替え部１２１に出力される。この閾値は、受信波を散乱する障害物の位置や、ウエイト算出のアルゴリズム等を考慮して、システムにおいて適宜設定する。
【００８１】
このように、本実施の形態によれば、タイミング差が所定の値よりも大きい場合にはＡＡＡ送受信を行って干渉波を抑圧し、タイミング差が所定の値よりも小さい場合にはダイバーシチ送受信を行ってフェージングによる信号の歪みを補償するようにするので、良好な通信品質で無線通信を行うことができる。
【００８２】
また、本実施の形態においては、タイミング差が小さいほど基地局装置と通信端末装置との距離が近いと考えられる。したがって、タイミング差が所定の値よりも小さい場合にはダイバーシチ送受信を行うとともに送信電力を低く抑えることが可能である。これにより、アダプティブアレーアンテナを用いなくとも他局に与える干渉の影響を低減することができる。
【００８３】
（実施の形態５）
実施の形態５に係る基地局装置は、送信電力制御において送信電力の上げ下げを指示するＴＰＣビットに基づいて自装置と通信相手である通信端末装置との距離を推定する。そして、推定した距離が所定の値よりも大きい場合にはＡＡＡ送受信を行って干渉波を抑圧し、逆に所定の値よりも小さい場合にはダイバーシチ送受信を行ってフェージングによる信号の歪みを補償することにより、良好な通信品質で無線通信を行う。すなわち、本実施の形態は、ＴＰＣビットに基づいて推定した基地局装置と通信端末装置との距離を推定する点で実施の形態３と異なる。
【００８４】
図８に実施の形態５に係るフェージング相関監視部１０３の構成を示すブロック図を示す。以下、本実施の形態に係る基地局装置について、図８を参照して説明する。本実施の形態に係る基地局装置は、フェージング相関監視部１０３以外の構成については実施の形態１に係る基地局装置と同じであるので、フェージング相関監視部１０３以外の部分については詳しい説明を省略する。
【００８５】
ＴＰＣビット抽出部５０１は、受信信号に含まれるＴＰＣビットを抽出し、閾値判定部５０２に出力する。閾値判定部５０２は、ＴＰＣビット抽出部５０１より出力されるＴＰＣビットのうち送信電力を上げる旨を指示するビット（以下、「上昇指示ビット」という）の数を計数し、計数した上昇指示ビットの数をあらかじめ設定された閾値で閾値判定し、判定結果を示す切り替え信号を切り替え部１０４及び切り替え部１２１に出力する。
【００８６】
次に、以上のように構成された基地局装置１００の動作について説明する。
アンテナ１０１−１〜１０１−４から受信された受信信号は、無線受信部１０２−１〜１０２−４で所定の無線受信処理を施されてフェージング相関監視部１０３、切り替え部１０４、及び到来方向推定部１０５に出力される。フェージング相関監視部１０３では、算出された受信電力があらかじめ設定された閾値で閾値判定されて切り替え信号が生成される。
【００８７】
ここで、フェージング相関監視部１０３の動作について説明する。
フェージング相関監視部１０３では、各系列の受信信号の電力が算出され、算出された電力が閾値判定され、その判定結果に応じて、受信信号をＡＡＡ受信回路１０６とダイバーシチ受信回路１０７のいずれで処理するかを決定する切り替え信号が生成される。
【００８８】
まず、ＴＰＣビット抽出部５０１において受信信号からＴＰＣビットが抽出され、抽出されたＴＰＣビットは、閾値判定部５０２に出力される。
【００８９】
閾値判定部５０２では、ＴＰＣビット抽出部５０１より出力されるＴＰＣビットのうち送信電力を上げる旨を指示するビット（上昇指示ビット）の数が計数され、計数されたビット数があらかじめ設定された閾値で閾値判定される。この閾値判定は、上昇指示ビット数が大きいほど伝播路状態が悪いためにフェージング相関が小さくなることに着目して、受信信号をＡＡＡ受信回路１０６とダイバーシチ受信回路１０７のいずれで処理するか決定するため、及び送信信号をＡＡＡ送信回路１２２とダイバーシチ送信回路１２３のいずれで処理するか決定するために行う。すなわち、上昇指示ビット数が閾値よりも小さい場合にはフェージング相関が大きいので、受信信号をＡＡＡ受信回路１０６で処理し、送信信号をＡＡＡ送信回路１２２で処理すると決定される。逆に、上昇指示ビット数が閾値よりも大きい場合には、受信信号をダイバーシチ受信回路１０７で処理し、送信信号をダイバーシチ送信回路１２３で処理すると決定される。このように閾値判定が行われると、この閾値判定結果を示す切り替え信号が生成される。生成された切り替え信号は、切り替え部１０４及び切り替え部１２１に出力される。この閾値は、受信波を散乱する障害物の位置や、ウエイト算出のアルゴリズム等を考慮して、システムにおいて適宜設定する。
【００９０】
このように、本実施の形態によれば、上昇指示ビット数が所定の値よりも大きい場合にはＡＡＡ送受信を行って干渉波を抑圧し、受信信号の電力が所定の値よりも小さい場合にはダイバーシチ送受信を行ってフェージングによる信号の歪みを補償するようにするので、良好な通信品質で無線通信を行うことができる。
【００９１】
また、本実施の形態においては、上昇指示ビット数が大きいほど伝播路状態が悪いので移動局は基地局よりも遠い位置にあると考えられる。そのため、フェージング相関が低いと考えられる。したがって、上昇指示ビット数が所定の値よりも大きい場合にはダイバーシチ送受信を行うとともに送信電力を低く抑えることが可能である。これにより、アダプティブアレーアンテナを用いなくとも他局に与える干渉の影響を低減することができる。
【００９２】
なお、上記各実施の形態においては、ダイバーシチ送信方法に関して主に最大比合成ダイバーシチ送信を行う場合について記述したが、その他のダイバーシチ送信方法が適用可能なことは言うまでもない。例えば、選択送信や、クローズドループ型ダイバーシチ送信を適用した場合でも、良好な送信特性を実現することが可能である。
【００９３】
【発明の効果】
以上説明したように本発明によれば、フェージング相関を監視し、その監視結果に応じてＡＡＡ送受信とダイバーシチ送受信を切り替えるので、フェージングの相関が小さい場合であっても良好な通信品質で無線通信を行うことができる。
【図面の簡単な説明】
【図１】本発明の実施の形態１に係る基地局装置について説明する図
【図２】本発明の実施の形態１に係る基地局装置の構成を示すブロック図
【図３】本発明の実施の形態１に係るフェージング相関監視部の構成を示すブロック図
【図４】本発明の実施の形態１に係る加算器の出力の一例を示す図
【図５】本発明の実施の形態２に係るフェージング相関監視部の構成を示すブロック図
【図６】本発明の実施の形態３に係るフェージング相関監視部の構成を示すブロック図
【図７】本発明の実施の形態４に係るフェージング相関監視部の構成を示すブロック図
【図８】本発明の実施の形態５に係るフェージング相関監視部の構成を示すブロック図
【図９】無線基地局装置に備えられた２本のアンテナ素子に通信端末装置から送信された送信波が到来する様子を示す図
【符号の説明】
１０３  フェージング相関監視部
１０６  ＡＡＡ受信回路
１０７  ダイバーシチ受信回路
１０４、１２１  切り替え部
１２２  ＡＡＡ送信回路
１２３  ダイバーシチ送信回路
１５６、２０４、３０２、４０２、５０２  閾値判定部
【図１】
0003699883.tif 000002
【図２】
0003699883.tif 000003
【図３】
0003699883.tif 000004
【図４】
0003699883.tif 000005
【図５】
0003699883.tif 000006
【図６】
0003699883.tif 000007
【図７】
0003699883.tif 000008
【図８】
0003699883.tif 000009
【図９】
0003699883.tif 000010